(57)【要約】【課題】簡易迅速な潤滑油中の異物診断容器及び方法を提供する。【解決手段】本発明に係る異物診断容器１０Ａは、所定量の潤滑油１１を充填し、上蓋１４を閉じて、遠心分離装置を用いた遠心分離操作により、容器本体１２内の底部に異物１３を沈降させてなり、この沈着した異物１３を顕微鏡検査や、色調検査や蛍光Ｘ線照射検査を行い、潤滑油中の異物の種類を、現場にて迅速に診断することができる。簡易迅速な潤滑油の診断が可能となり、適正時期に潤滑油の交換を行う目安を設定することが可能となる。【選択図】        図１−２
2010107252.tif 000002
【特許請求の範囲】
【請求項１】
所定量の潤滑油を充填し、遠心分離操作により、容器本体内の底部に異物を沈降させてなることを特徴とする潤滑油中の異物診断容器。
【請求項２】
請求項１において、
前記容器本体が両端開放の筒体であると共に、上下端部に螺合する上蓋及び下蓋を有することを特徴とする潤滑油中の異物診断容器。
【請求項３】
請求項２において、
下蓋の内側に捕獲部を設置してなることを特徴とする潤滑油中の異物診断容器。
【請求項４】
請求項１において、
前記容器本体が、有底筒体であると共に、筒体の内部にフィルム状の捕獲部を配置してなることを特徴とする潤滑油中の異物診断容器。
【請求項５】
請求項１乃至３のいずれか一つの潤滑油中の異物診断容器を用い、
内部に所定量の潤滑油を充填し、遠心分離により、異物を捕獲し、その後蛍光Ｘ線分析装置により、異物を分析することを特徴とする潤滑油中の異物診断方法。
【請求項６】
請求項４の潤滑油中の異物診断容器を用い、
内部の所定量の潤滑油を充填し、遠心分離により、異物を捕獲フィルムで捕獲し、その後蛍光Ｘ線分析装置により、異物を分析することを特徴とする潤滑油中の異物診断方法。
【請求項７】
請求項５又は６において、
６０〜８０℃の温度で遠心分離操作を行うことを特徴とする潤滑油中の異物診断方法。
【発明の詳細な説明】
【技術分野】
【０００１】
本発明は、例えば油圧制御装置、ポンプ、エンジン、ピストン、軸受又は弁等の機器に用いる潤滑剤としての潤滑油の異物計測を迅速に行うことができる潤滑油中の異物診断容器及び方法に関する。
【背景技術】
【０００２】
潤滑油を使用した機器としては、油圧制御装置・ポンプ・エンジン・ピストン・軸受・弁などがある。これらの製品に含まれる潤滑油の品質および純度が維持されることは、機器耐久性を維持させるために重要である。
その際、潤滑油の中に夾雑物等の異物成分が含まれた場合、機器損傷が起こる可能性が高くなる。また、機器摺動部の磨耗が発生した場合、磨耗粉は夾雑物となり、潤滑油中に存在する。したがって、潤滑油中の異物の量と、成分の分析とは、機器の磨耗が起こる危険性、磨耗が発生した際の磨耗の程度、磨耗箇所の推定のため、迅速に分析がなされる必要がある。
【０００３】
従来から潤滑油中の異物の計測としては、フェログラフィ法、油中微粒子測定法（ＮＡＳ等級）（ＪＩＳ９９３４）、光学顕微鏡を用いた微粒子測定法（ＪＩＳＢ９９３０）、質量法による汚染測定法（ＪＩＳＢ９９３１）等が存在する。
【０００４】
また、図５に示すようなフィルタラビリティ試験方法が提案されている。
図５に示すように、この濾過装置１００は、フラスコ１０１に設置した濾過器１０２に濾紙１０３を設置し、潤滑油（有機溶剤で希釈したもの）１０４を所定量供給し、真空ポンプ１０５で引くことにより、異物１０６を濾紙１０３上に捕集するものである。なお、図中、符号１０７は濾液である。
なお、潤滑油１０４を濾過する際には、有機溶剤（例えばヘキサン等）で希釈しており、換気手段が必須である。
【０００５】
【非特許文献１】ＪＩＳＢ９９３４
【非特許文献２】ＪＩＳＢ９９３０
【非特許文献３】ＪＩＳＢ９９３１
【発明の開示】
【発明が解決しようとする課題】
【０００６】
前記ＪＩＳ法の分析技術においては、各機器、器具、有機溶剤が必要であり、局所排気設備内での操作が必要となる為、現場にてサンプリングした潤滑油を持ち帰り分析しなければならない。その為、結果が出るまで約１週間程度かかり、油圧機器などのトラブル時に迅速な対応ができない、という問題がある。
【０００７】
特に、航行中の舶用油圧機器等作動油等のトラブルにおいては、結果が出るまでに長期間を要し、その対策実施までの期間、多くの損失を招いているのが現状であるので、簡易迅速な計測装置の出現が求められている。
【０００８】
本発明は、前記問題に鑑み、簡易迅速な潤滑油中の異物診断容器及び方法を提供することを課題とする。
【課題を解決するための手段】
【０００９】
上述した課題を解決するための本発明の第１の発明は、所定量の潤滑油を充填し、遠心分離操作により、容器本体内の底部に異物を沈降させてなることを特徴とする潤滑油中の異物診断容器にある。
【００１０】
第２の発明は、第１の発明において、前記容器本体が両端開放の筒体であると共に、上下端部に螺合する上蓋及び下蓋を有することを特徴とする潤滑油中の異物診断容器にある。
【００１１】
第３の発明は、第２の発明において、下蓋の内側に捕獲部を設置してなることを特徴とする潤滑油中の異物診断容器にある。
【００１２】
第４の発明は、第１の発明において、前記容器本体が、有底筒体であると共に、筒体の内部にフィルム状の捕獲部を配置してなることを特徴とする潤滑油中の異物診断容器にある。
【００１３】
第５の発明は、第１乃至３のいずれか一つの潤滑油中の異物診断容器を用い、内部に所定量の潤滑油を充填し、遠心分離により、異物を捕獲し、その後蛍光Ｘ線分析装置により、異物を分析することを特徴とする潤滑油中の異物診断方法にある。
【００１４】
第６の発明は、第４の潤滑油中の異物診断容器を用い、内部の所定量の潤滑油を充填し、遠心分離により、異物を捕獲フィルムで捕獲し、その後蛍光Ｘ線分析装置により、異物を分析することを特徴とする潤滑油中の異物診断方法にある。
【００１５】
第７の発明は、第５又は６の発明において、６０〜８０℃の温度で遠心分離操作を行うことを特徴とする潤滑油中の異物診断方法にある。
【発明の効果】
【００１６】
本発明によれば、所定期間経過毎に定期的に潤滑油の検査を行うことが、現場で可能となり、従来のような潤滑油を分析設備の整った場所に移動させることがなくなる。これにより簡易迅速な潤滑油の診断が可能となり、適正時期に潤滑油の交換を行う目安を設定することが可能となる。
【発明を実施するための最良の形態】
【００１７】
以下、この発明につき図面を参照しつつ詳細に説明する。なお、この実施例によりこの発明が限定されるものではない。また、下記実施例における構成要素には、当業者が容易に想定できるもの、あるいは実質的に同一のものが含まれる。
【実施例】
【００１８】
本発明による実施例に係る潤滑油中の異物診断容器について、図面を参照して説明する。図１−１及び図１−２は、実施例１に係る潤滑油中の異物診断容器の概略図である。図１−１及び図１−２に示すように、本実施例に係る潤滑油中の異物診断容器１０Ａは、所定量の潤滑油１１を充填し、遠心分離操作により、容器本体１２内の底部に異物１３を沈降させてなるものである。
本実施例では、前記容器本体１２が両端開放の筒体であると共に、上下端部に螺合１２ａ、１２ｂする上蓋１４及び下蓋１５を有するものである。前記筒体は円筒形状であっても断面矩形形状であってもいずれでもよい。
【００１９】
本実施例の潤滑油中の異物診断容器１０Ａを用いて、異物を診断するには、容器本体１２の下端側に下蓋１５を螺合し、内部に所定量（例えば１００ｃｃ）の潤滑油１１を投入し、その後上蓋１４を螺合し、遠心分離装置で遠心分離操作を行う。この遠心分離の際に、温度調節装置を用いて内部を６０〜８０℃に加温するようにしてもよい。
遠心分離の後、下蓋１５の内側には異物１３が沈着される。
【００２０】
この沈着した異物１３を顕微鏡で観察し、異物の大きさと種類を推定する。
または、表面の色調を標準サンプルと比較する。
【００２１】
さらに、図２に示すように、可搬型の蛍光Ｘ線照射装置１６により蛍光Ｘ線１７を照射させ、成分（例えばＦｅ、Ｃｕ、Ｃｒ、Ｎｉ、Ｓｉ、Ｍｇ、Ｃａ等）を分析するようにしてもよい。これにより、潤滑油中の異物の種類が特定できることとなる。
【００２２】
また、図３−１及び図３−２に示すように、下蓋１５の上部に沈降物を捕獲する捕獲シート１８を配置させて、遠心分離操作により異物１３を沈降させるようにしてもよい。前記捕獲シート１８は、シート状で溶解しないものであればいずれでもよく、例えばポリテトラフルオロエチレン（「テフロン（登録商標）」）、セルロース、フッ素系樹脂等を用いることができる。
【００２３】
この捕獲シート１８を用いることにより、潤滑油１１による下蓋１５への汚染がなくなり、下蓋１５の洗浄操作を省略することができる。
【００２４】
本発明によれば、所定期間経過毎に定期的に潤滑油の検査を行うことが、現場で可能となり、従来のような潤滑油を分析設備の整った場所に移動させることがなくなる。これにより簡易迅速な潤滑油の診断が可能となり、適正時期に潤滑油の交換を行う目安を設定することが可能となる。
また、診断の程度により、検査の回数を多くすることで診断精度を向上させることもできる。
【００２５】
このように、本発明によれば、現場にて潤滑油の迅速な診断が可能となり、従来のような結果が出るまでに長期間を要することがなく、その対策実施までの期間がなくなるので、大きな損失を回避することができる。
【００２６】
本発明による実施例に係る潤滑油中の異物診断容器について、図面を参照して説明する。
図４−１及び図４−２は、実施例２に係る潤滑油中の異物診断容器の概略図である。図４−１及び図４−２に示すように、本実施例に係る潤滑油中の異物診断容器２０は、有底の容器本体２１を有し、内部にフィルム状の捕獲部である捕獲フィルム２２を配置させ、所定量の潤滑油１１を充填し、遠心分離操作により、捕獲フィルム２２に異物１３を沈降させてなるものである。図中、符号２３は上蓋である。
【００２７】
そして、図４−３に示すように、捕獲フィルム２２上に異物１３を捕獲し、これを実施例１と同様にして観察することで異物の診断が可能となる。
ここで、前記捕獲フィルム２２としては、例えばポリエチレンフィルム、ポリプロピレンフィルム等を用いることができる。
【００２８】
この異物診断容器２０を用いることにより、実施例１のように、容器本体１２及び下蓋１５への汚染がなくなり、容器本体１２等の洗浄操作を省略することができる。
【００２９】
本実施例によれば、現場にてサンプリングして、必要なときに、潤滑油を診断することができ、油圧機器などのトラブルの発生を防止することができる。
【００３０】
この結果、例えば船舶等の航行中の舶用油圧機器等作動油等のトラブルが未然に防止できることとなる。
【産業上の利用可能性】
【００３１】
以上のように、本発明に係る潤滑油中の異物診断容器は、所定期間経過毎に定期的に潤滑油の検査を行うことが可能となり、適正時期に潤滑油の交換を行うことができ、潤滑油の簡易判定に適している。
【図面の簡単な説明】
【００３２】
【図１−１】実施例１に係る潤滑油中の異物診断容器の概略図である。
【図１−２】実施例１に係る潤滑油中の異物診断容器の概略図である。
【図２】実施例１に係る異物診断の様子を示す概略図である。
【図３−１】実施例１に係る他の潤滑油中の異物診断容器の概略図である。
【図３−２】実施例１に係る他の潤滑油中の異物診断容器の概略図である。
【図４−１】実施例２に係る潤滑油中の異物診断容器の概略図である。
【図４−２】実施例２に係る潤滑油中の異物診断容器の概略図である。
【図４−３】実施例２に係る異物の捕獲の様子を示す概略図である。
【図５】従来の潤滑油中の異物診断装置の概略図である。
【符号の説明】
【００３３】
１０Ａ、１０Ｂ、２０  異物診断容器
１１  潤滑油
１２、２１  容器本体
１３  異物
１４、２３  上蓋
１５  下蓋
１８  捕獲シート
２２  捕獲フィルム
【図１−１】
2010107252.tif 000003
【図１−２】
2010107252.tif 000004
【図２】
2010107252.tif 000005
【図３−１】
2010107252.tif 000006
【図３−２】
2010107252.tif 000007
【図４−１】
2010107252.tif 000008
【図４−２】
2010107252.tif 000009
【図４−３】
2010107252.tif 000010
【図５】
2010107252.tif 000011